(57)【要約】      （修正有）【課題】投写型ディスプレイ装置において異常な電源オンから回復する方法を提供する。【解決手段】電源がオンされると、フロントエンド信号処理装置２０１はアナログＲＧＢ信号２００、ＤＸＩ信号２０２、ＡＶ信号２０４及びＲＦ信号２０６の内の一つを選択し、フロントエンド信号２０８を出力する。駆動装置２０３はフロントエンド信号２０８を受信すると、画像を表示するために駆動信号２１０を出力する。駆動信号２１０も同様に処理装置２０５に送信される。処理装置２０５は、駆動装置２０３が駆動信号２１０に従って正常に動作するかどうか判断する。異常動作時、駆動装置２０３は処理装置２０５からの第１制御信号２１２に基づきリセットされ、次に画像を表示するために駆動信号２１０を再出力する。【選択図】図２
2006350284.tif 000002
【特許請求の範囲】
【請求項１】
画像を表示するために駆動信号を出力するための駆動装置と、
前記駆動装置が前記駆動信号に従って正常に動作するかどうかを判断するための処理装置であって、
前記駆動装置が異常に動作する場合、前記駆動装置に第１の制御信号を出力する前記処理装置と、を備え、
前記駆動装置が前記第１の制御信号に応えて前記画像を表示するために前記駆動信号を再出力するディスプレイ装置。
【請求項２】
光源と、
前記光源を起動するための起動装置と、をさらに備え、
前記起動装置が前記光源の起動ステータスに従って前記処理装置に第２の制御信号を出力し、前記処理装置が、前記光源が前記第２の制御信号に従って正常に動作するかどうかを判断し、前記光源が異常に動作する場合に前記処理装置が駆動装置に第３の制御信号を出力し、前記駆動装置が前記第３の制御信号に応えて前記起動装置に第４の制御信号を出力し、前記起動装置が前記第４の制御信号に応えて前記光源を再起動する、請求項１に記載のディスプレイ装置。
【請求項３】
前記駆動装置が前記第３の制御信号に応えて前記画像を表示するために前記駆動信号を再出力する請求項２に記載のディスプレイ装置。
【請求項４】
前記駆動信号がクロック信号を含み、前記処理装置が、前記駆動装置が特定の期間で前記クロック信号の電圧に従って正常に動作するかどうかを判断する請求項１に記載のディスプレイ装置。
【請求項５】
前記駆動信号が同期信号を含み、前記処理装置が、前記駆動装置が特定の期間に前記同期信号の電圧に従って正常に動作するかどうかを判断する請求項１に記載のディスプレイ装置。
【請求項６】
前記処理装置が、
前記駆動装置が前記駆動信号に従って正常に動作するかどうかを検出し、ステータス信号を出力するための第１の要素と、
前記ステータス信号を受信するための第２の要素であって、前記駆動装置が異常に動作する場合、前記駆動装置に前記第１の制御信号を出力する前記第２の要素と、
を備える請求項１に記載のディスプレイ装置。
【請求項７】
前記駆動信号がカラー信号を含み、前記処理装置が、前記駆動装置が前記カラー信号に従って正常に動作するかどうかを判断する請求項１に記載のディスプレイ装置。
【請求項８】
前記画像が、前記カラー信号に応えて、前記駆動装置が正常に動作する場合、青のフレームである請求項７に記載のディスプレイ装置。
【請求項９】
前記ディスプレイ装置が投射型ディスプレイである、請求項１に記載のディスプレイ装置。
【請求項１０】
ディスプレイ装置の異常電源オンステータスから回復するための方法であって、前記ディスプレイ装置が画像を表示するために駆動信号を出力するための駆動装置を備え、
前記駆動装置が前記駆動信号に従って正常に動作するかどうかを判断することと、
前記駆動装置が異常に動作する場合、第１の信号を発生させることと、
前記第１の信号に応えて前記画像を表示するために前記駆動信号を再出力することと、
を含む方法。
【請求項１１】
前記ディスプレイ装置が光源をさらに備え、
前記方法が、
前記光源の起動ステータスが正常であるかどうかを判断することと、
前記起動ステータスが異常である場合、第２の信号を発生させることと、
前記第２の信号に応えて前記光源を再起動することと、
をさらに含む請求項１０に記載の方法。
【請求項１２】
前記第２の信号に応えて前記画像を表示するために前記駆動信号を再出力することと、
をさらに含む請求項１１に記載の方法。
【請求項１３】
前記駆動信号がクロック信号を含み、前記判断ステップが、前記クロック信号の電圧が特定の期間に正常に実行するかどうかを判断することを含む請求項１０に記載の方法。
【請求項１４】
前記駆動信号が同期信号を含み、前記判断ステップが、前記同期信号の電圧が特定の期間で正常に動作するかどうかを判断することを含む請求項１０に記載の方法。
【請求項１５】
前記駆動信号がカラー信号を含み、前記判断ステップが、前記カラー信号が正常に実行するかどうかを判断することを含む請求項１０に記載の方法。
【請求項１６】
ディスプレイ装置の異常な電源オンステータスから回復するための方法であって、前記ディスプレイ装置が光源と駆動装置とを備え、前記駆動装置が画像を表示するために駆動信号を出力するように構成され、
（ａ）光源の起動ステータスが正常であるかどうかを判断し、正常ではない場合にはステップ（ｂ）と（ｃ）に移動し、正常である場合にはステップ（ｄ）に移動することと、
（ｂ）第１の信号を発生させることと、
（ｃ）前記第１の信号に応えて前記光源を再起動することと、
（ｄ）前記駆動装置が前記駆動信号に従って正常に動作するかどうかを判断し、正常に動作しない場合にはステップ（ｅ）と（ｆ）に移動することと、
（ｅ）第２の信号を発生させることと、
（ｆ）前記第２の信号に応えて前記画像を表示するために前記駆動信号を再出力することと、
を含む方法。
【請求項１７】
（ｇ）前記第１の信号に応えて前記画像を表示するために前記駆動信号を再出力することと、
をさらに含む請求項１６に記載の方法。
【請求項１８】
前記駆動信号がクロック信号を含み、ステップ（ｄ）が、（ｈ）前記クロック信号の電圧が特定の期間に正常に実行するかどうかを判断することを含む請求項１６に記載の方法。
【請求項１９】
前記駆動信号が同期信号を含み、ステップ（ｄ）が、（ｉ）前記同期信号の電圧が特定の期間で正常に実行するかどうかを判断することを含む請求項１６に記載の方法。
【請求項２０】
前記駆動信号がカラー信号を含み、ステップ（ｄ）が（ｊ）前記カラー信号が正常に実行するかどうかを判断することを含む請求項１６に記載の方法。
【発明の詳細な説明】
【技術分野】
【０００１】
本発明はディスプレイ装置、及びその結果の異常な電源オンから回復するための方法に関し、さらに詳細には投射型ディスプレイ及びその結果の異常な電源オンから回復するための方法に関する。
【背景技術】
【０００２】
投射型ディスプレイの技法は今日成熟しているため、現在の市場における投射型ディスプレイの多くは（アナログＲＧＢ信号またはＤＶＩ信号などの）コンピュータ信号、一般ビデオ信号（ＡＶ信号）、及び／またはテレビ信号（ＲＦ信号）を個別にまたは同時に受信し、表示用の画像を生成するためにその内の１つを変換することができる。アナログＲＧＢ信号、ＤＶＩ信号、ＡＶ信号及びＲＦ信号を同時に受信できる投射型ディスプレイを例として取り上げると、投射型ディスプレイは、通常、アナログＲＧＢ信号を処理するためのＡＤＣ（アナログ／デジタル変換器）と、ＤＶＩ信号を処理するためのデジタル差動信号受信機と、ＡＶ信号を処理するためのビデオデコーダと、ＲＦ信号を復調するためのテレビチューナとを備えるフロントエンド信号処理回路を含む。フロントエンド信号処理回路は、マルチプレクサとビデオスケーリングプロセッサとをさらに備える。マルチプレクサは処理されたアナログＲＧＢ信号、ＤＶＩ信号、ＡＶ信号及びＲＦ信号の内の１つを表示信号として選択するために使用される。ビデオスケーリングプロセッサは、表示信号の解像度及び／または表示頻度を調整し、フロントエンド信号を出力するために使用される。
【０００３】
図１は、フロントエンド信号処理回路が図示されていない前述した投射型ディスプレイを示す。図１に図示されるように、投射型ディスプレイ１１は、駆動装置１０１と、ディスプレイ装置１０３と、起動装置１０５と、光源１０７と、処理装置１１１とをさらに備え、該起動装置１０５は安定器であり、該光源１０７は映写用電球である。投射型ディスプレイ１１の電源がオンにされると、駆動装置１０１はフロントエンド信号処理回路からフロントエンド信号１００を受信する。フロントエンド信号１００に従って、駆動装置１０１はディスプレイ装置１０３を駆動するために第１の信号１０２を出力し、起動装置１０５を駆動するための第２の信号１０４を出力する。ディスプレイ装置１０３は、投射のためのＤＭＤ（デジタルマイクロミラーデバイス）、ＬＣＤ装置、または他のディスプレイ装置であってよい。第１の信号１０２に従って、ディスプレイ装置１０３は画像を生成する。第２の信号１０４の受信後、起動装置１０５は光源１０７を起動するために第３の信号を送信する。起動された光源１０７は次にディスプレイ装置１０３によって生成される画像を画面１０９上に投射するために光を発する。
【０００４】
駆動装置１０１がディスプレイ装置１０３に第１の信号１０２を送信した後、処理装置１１１は駆動装置１０１から第４の信号１０８を取り出す。第４の信号１０８は駆動装置１０１の動作ステータスを表す。光源１０７に第３の信号１０６を送信した後、起動装置１０５は第５の信号１１０を、光源１０７の起動が成功したかどうかを告げる第５の信号１１０を処理装置１１１に出力する。
【０００５】
起動装置１０５は、光源１０７を起動するために光源１０７に第３の信号１０６を送信する一方、それは例えば２ＫＶまたは３ＫＶなどの非常に高い起動電圧を必要とする。駆動装置１０１などの周辺回路は光源１０７を起動する瞬間にこのような高圧によって干渉される可能性がある。該干渉は、投射型ディスプレイ１１の表示機能を異常にさせる、または破壊させる。いったん駆動装置１０１または光源１０７のどちらかが適切に動作できなくなると、処理装置１１１は第４の信号１０８と第５の信号１１０を受信することによりこの状態を認識する。次に処理装置１１１は駆動装置１０１に第６の信号１１２を出力する。第６の信号１１２に応えて、駆動装置１０１はリセットされ、それぞれ画像を表示し直し、光源１０７を再起動するために、第１の信号１０２と第２の信号１０４を再出力する。
【０００６】
しかしながら、光源１０７を再起動すると、別の高圧干渉が引き起こされる可能性がある。したがって、再び別の異常な状況が周辺回路で発生する。実際、光源１０７を再起動することは特に駆動装置１０１が異常であるが、光源１０７が正常に起動されているときには冗長なステップである。さらに、処理装置１１１は、駆動装置１０１が高圧によってひどく干渉されすぎて、第４の信号１０８を正しく送達できない場合、駆動装置１０１の正確なステータスを取得できない可能性がある。従って、投射型ディスプレイの動作を異常な電源オンから回復する方法は依然として解決策を待っている。
【発明の開示】
【発明が解決しようとする課題】
【０００７】
本発明の目的は、駆動装置と、光源と、処理装置とを備えるディスプレイ装置を提供することである。
【課題を解決するための手段】
【０００８】
駆動装置は画像を表示するために駆動信号を出力するように構成される。光源は起動後画面の上に画像を投射するように構成される。処理装置は、駆動装置が駆動信号に従って正常に動作するかどうかを判断するように構成される。駆動装置が異常に動作する場合、処理装置は第１の制御信号を駆動装置に出力する。第１の信号に応えて、駆動装置は画像を表示するために駆動信号を再出力する。この状況では、光源は再起動される必要はない。駆動装置の動作は正しく判断されることができ、光源を再起動するための冗長な動作は実行されないため、電源オン期間中のディスプレイ装置の安定性は強化される。
【０００９】
ディスプレイ装置は、光源を起動するために起動装置をさらに備える。ディスプレイ装置の電源がオンにされた後、起動装置は光源の起動ステータスに従って第２の制御信号を処理装置に出力する。処理装置は、第２の制御信号に従って起動ステータスが正常であるかどうかを判断する。光源の起動ステータスが異常である場合、処理装置は駆動装置に第３の制御信号を出力する。駆動装置は第３の制御信号に応えて起動装置に第４の制御信号を出力する。起動装置は第４の制御信号に応えて光源を再起動する。
【００１０】
本発明の別の目的は、ディスプレイ装置の異常な電源オンステータスから回復するための方法を提供することである。ディスプレイ装置は、画像を表示するために駆動信号を出力するための駆動装置を備える。方法は、駆動装置が駆動信号に従って正常に動作するかどうかを判断するステップと、駆動装置が異常に動作する場合には第１の信号を発生させるステップと、第１の信号に応えて画像を表示するために駆動信号を再出力するステップとを含む。駆動装置の動作は正しく判断でき、光源を再起動するための冗長な動作が実行されないため、ディスプレイ装置は迅速に安定して戻ることができる。
【００１１】
方法は、さらに、光源の起動ステータスが正常であるかどうかを判断するステップと、起動ステータスが異常である場合、第２の信号を発生させるステップと、第２の信号に応えて光源を再起動するステップとを含む。
【００１２】
本発明の更なる目的はディスプレイ装置の異常な電源オンステータスから回復するための方法を提供することである。ディスプレイ装置は光源と駆動装置を備える。駆動装置は画像を表示するために駆動信号を出力するように構成される。方法は、光源の起動ステータスが正常であるかどうかを判断するステップと、正常ではない場合には第１の信号を発生させるステップと、第１の信号に応えて光源を再起動するステップと、駆動装置が駆動信号に従って正常に動作するかどうかを判断するステップと、正常に動作しない場合、第２の信号を発生させるステップと、第２の信号に応えて画像を表示するために駆動信号を再出力するステップとを含む。
【００１３】
本発明のための実現される詳細な技術及び好適な実施の形態は、当業者が主張される本発明の特徴を十分に理解するために添付図面に伴う以下の段落に説明される。
【発明を実施するための最良の形態】
【００１４】
図２は、投射型ディスプレイ２１である本発明の１つの実施の形態を示す。投射型ディスプレイ２１はアナログＲＧＢ信号２００、ＤＶＩ信号２０２、ＡＶ信号２０４及びＲＦ信号２０６を同時に受信し、処理後に画像を表示するためにこれらの信号の１つを選択できる。投射ディスプレイ２１はフロントエンド信号処理装置２０１と、駆動装置２０３と、処理装置２０５とを備える。投射型ディスプレイ２１の電源がオンにされると、フロントエンド信号処理装置２０１はアナログＲＧＢ信号２００、ＤＶＩ信号２０２、ＡＶ信号２０４、及びＲＦ信号２０６の内の１つを選択し、解像度と表示頻度を調整した後にフロントエンド信号２０８を出力する。フロントエンド信号２０８を受信すると、駆動装置２０３は画像を表示するために駆動信号２１０を出力する。駆動信号２１０も同様に処理装置２０５に送信される。処理装置２０５は、駆動装置２０３が駆動信号２１０に従って正常に動作するかどうかを判断する。駆動装置２０３が異常に動作する場合、処理装置２０５は駆動装置２０３に第１の制御信号２１２を出力する。第１の制御信号２１２に応えて、駆動装置２０３はリセットされ、次に画像を表示するために駆動信号２１０を再出力する。
【００１５】
投射型ディスプレイ２１は、ディスプレイ装置２０７と、光源２０９と起動装置２１１とをさらに備える。駆動信号２１０の受信後、ディスプレイ装置２０７は駆動信号２１０から画像に変換する。投射型ディスプレイ２１の電源がオンにされている間、駆動装置２０３は起動装置２１１に信号２１４も送信する。起動装置２１１は信号２１４に応えて光源２０９を起動するために光源２０９に信号２１６を送信する。起動された光源２０９は、起動が成功した場合、ディスプレイ装置２０７により生成される画像を画面２１３に投射する。
【００１６】
起動装置２１１は、光源２０９の起動ステータスに従って処理装置２０５に第２の制御信号２１８を出力できる。第２の制御信号２１８に従って、処理装置２０５は光源２０９の起動ステータスが正常であるかどうかを判断する。起動ステータスが異常である場合、処理装置２０５は駆動装置２０３に、光源２０９の起動ステータスが異常である旨を知らせるために駆動装置２０３に第３の制御信号２２０を出力する。したがって、駆動装置２０３は、第３の制御信号２２０に応えて信号２１４、すなわち第４の制御信号を起動装置２１１に再出力する。起動装置２１１は次に信号２１４に応えて光源２０９を再起動する。
【００１７】
前記説明に従って、実施の形態は、駆動装置２０３が駆動信号２１０に従って正常に動作するかどうか判断する。したがって、駆動装置２０３が異常に停止する、または光源２０９が起動されている間に高圧干渉などの任意の信号を何らかの理由で出力するとしても、処理装置２０５は依然として異常駆動信号２１０に基づいて駆動装置２０３の異常なステータスを判断し、次に駆動装置２０３をリセットするために第１の制御信号２１２を送信できる。
【００１８】
さらに、実施の形態は、光源２０９の起動ステータスが異常であることを駆動装置２０３に知らせるため、及び光源２０９を再起動することを要求するために第３の制御信号２２０を使用する。つまり、第１の制御信号２１２と第３の制御信号２２０は、リセット動作を実行する、または再起動動作を実行するために、それぞれ駆動装置２０３と光源２９０の異常なステータスを示すために使用される。その結果、不必要な回復動作は実行されない。
【００１９】
光源２０９を再起動することにより生じる高圧干渉が再び駆動装置２０３の動作に影響を及ぼす可能性があるため、駆動装置２０３は第３の制御信号２２０に応えて画像を表示するためにディスプレイ装置２０７に駆動信号２１０を再出力してよい。
【００２０】
駆動信号２１０が４０ＭＨｚなどの任意の周波数でクロック信号を有する場合、処理装置２０５は、駆動装置２０３が特定の期間中、例えば１サイクルの間にクロック信号の電圧に従って正常に動作するかどうかを判断できる。さらに具体的には、クロック信号の電圧が１つのサイクルで未変更のままとなる場合、それは、駆動装置２０３が異常に動作することを表す。
【００２１】
駆動信号２１０が３０ＫＨｚなどの任意の周波数の同期信号を含む場合、処理装置２０５は、駆動装置２０３が例えば一サイクルなどの特定の期間中、同期信号の電圧に従って正常に動作するかどうかを判断できる。さらに具体的には、同期信号の電圧が一サイクル中に未変更のままとなる場合、それは駆動装置２０３が異常に動作することを表す。
【００２２】
駆動信号２１０がカラー信号を含む場合、処理装置２０５は、駆動装置２０３がカラー信号に従って正常に動作するかどうかを判断できる。例えば、投射型ディスプレイ２１のカラー信号は、赤色、緑色、青色の原色ごとの８ビットデジタル信号である。投射型ディスプレイ２１の電源がオンにされている間、フロントエンド信号処理装置２０１は完全な青のフレームを出力するように命令されるため、駆動装置２０３が正常に動作する場合、青いカラー信号の８ビットＢＩＴ０からＢＩＴ７はすべて「１」となる。ディスプレイ装置２０７がカラー信号を受信した後、表示された画像は青のフレームである。駆動装置２０３が異常に動作する場合、ビットの必ずしも全てが「１」ではない、あるいはデジタルレベルがない等のＢＩＴ０からＢＩＴ７にエラーが発生する。処理装置２０５は、カラー信号のＢＩＴ７などの１ビット、またはＢＩＴ５からＢＩＴ７などのいくつかのビットが正常であるかどうかを検出することによって駆動装置２０３が正常に動作するかどうか判断できる。
【００２３】
図３は処理装置２０５を示す。図３に図示されるように、及び処理装置２０５は第１の要素３０１と第２の要素３０３を備える。第１の要素３０１は、駆動装置２０３が駆動信号２１０に従って正常に動作するかどうかを検出するように、検出結果に従ってステータス信号３００を出力するように構成される。ステータス信号３００受信後、第２の要素３０３は、駆動装置２０３が異常と判断される場合、駆動装置２０３をリセットするために駆動装置２０３に第１の制御信号２１２を出力する。第1の要素３０１と第２の要素３０３は、例えば１個のチップの中などの１つのデバイスで統合する、あるいは例えば２個のチップの中など異なるデバイスで配列することができる。
【００２４】
投射型ディスプレイ２１は、ＤＭＤ、ＬＣＤまたは他の種類のプロジェクタなどのフロント投射型ディスプレイであってよい。しかしながら、本発明はフロントプロジェクションデバイスに限定されず、それは、投射型ディスプレイ２１、画面２３及び投射型ディスプレイ２１と画面２１３の両方ともが十分に埋め込まれるキャビネット（図示せず）を備えるリヤプロジェクションディスプレイにも適用してよい。さらに前述された信号は、Ｉ2Ｃコマンドを介して送信できる。
【００２５】
本発明は、ディスプレイ装置の異常電源オンステータスから回復するための方法も提供する。ディスプレイ装置が迅速に安定して戻ることができるように、光源が正常に起動されるとき、該方法は光源を再起動するための冗長な動作は実行しない。
【００２６】
ディスプレイ装置の一例は駆動装置及び処理装置を備える投射型ディスプレイである。駆動装置は画像を表示するために駆動信号を出力するように構成される。処理装置は駆動装置と他の装置の動作を制御するように構成される。図４は該方法の流れ図を示す。ステップ４０１が実行されると、投射型ディスプレイはオンにされる。ステップ４０３が実行されると、処理装置が、駆動装置によって出力された駆動信号に従って駆動装置が正常に動作するかどうか判断する。正常に動作する場合、画像を表示するためにステップ４０５が実行される。正常に動作しない場合、駆動装置をリセットする回数が所定値より大きいかどうかを判断するためにステップ４０７が実行される。例えば駆動装置のリセットが初めてであり、所定値が３であるなど、駆動装置をリセットする回数が所定値より大きくない場合、ステップ４０９が実行される。処理装置は駆動装置に送達される第１の信号を発生する。次にステップ４１１が実行される。駆動装置は第１の信号に応えてリセットされる。その後、ステップ４１３が実行される。駆動装置は画像を表示するために駆動信号を再出力する。
【００２７】
次に方法はステップ４０３に戻る。処理装置は、駆動装置によって再出力される駆動信号に従って駆動装置が正常に動作するかどうかを判断する。ステップ４０３、４０７、４０９、４１１、及び４１３は、駆動装置をリセットする回数がステップ４０７の所定値より大きいと判断されるまでこのように繰り返される。ステップ４１５は、その結果、投射型ディスプレイが誤作動し、正常に電源がオンできないことをユーザに知らせるために処理装置によって要求される投射型ディスプレイのパネルでの電球またはＬＥＤの点灯である可能性があるエラーメッセージを表示するために実行される。
【００２８】
方法は、図５が示すように電源オン期間中の光源の異常起動ステータスのための更なる回復ステップも含む。ステップ５０１が実行されると、処理装置は、光源の起動ステータスが正常であるかどうかを判断する。正常である場合、ステップ５０３が実行され、投射型ディスプレイが画像を表示する。正常ではない場合、処理装置が光源を再起動する回数が所定値より大きいかどうかを判断するステップ５０５が実行される。例えば電源オン後に光源を再起動するのがはじめてであり、所定値が３であるなど、大きくない場合、処理装置が第２の信号を発生させるステップ５０７が実行される。第２の信号に応えて、ステップ５０９は光源を再起動するために実行される。再起動の間、光源の温度が下がるように、光源は３０秒など所定の期間冷まされてよい。これが、光源を２つの連続する起動間の時間間隔が近すぎる結果生じる損傷から予防する。
【００２９】
ここで方法はステップ５０１に戻る。処理装置は光源の起動ステータスが正常であるかどうかを判断する。ステップ５０１、５０５、５０７、及び５０９は、光源を再起動する回数がステップ５０５の所定値より大きいと判断されるまでこのようにして繰り返される。次に、投射型ディスプレイが誤動作し、正常に電源をオンできないことをユーザに知らせるために処理装置により要求される投射型ディスプレイのパネル上での電球またはＬＥＤの点灯であってよいエラーメッセージを表示するために、ステップ５１１が実行される。
【００３０】
方法は、ステップ５０７が実行された後、駆動装置がリセットされ、画像を表示するために第２の信号に応えて駆動信号を再出力するステップを含んでよい。このステップは、光源の再起動の結果生じる高圧干渉が、最初は正常に動作する駆動装置に影響を及ぼすのを回避する。従って、このステップは、高圧による干渉後に駆動装置を回復させる。
【００３１】
駆動信号が任意の周波数のクロック信号を含む場合、ステップ４０３は、特定の期間中にクロック信号の電圧が正常に動作するかどうか判断するステップをさらに含む。つまり、処理装置は、駆動装置が特定の期間中でクロック信号の電圧に従って正常に動作するかどうかを判断できる。
【００３２】
駆動信号が任意の周波数で同期信号を含む場合、ステップ４０３は、同期信号の電圧が通常特定の期間中で正常に実行するかどうか判断するステップをさらに含む。つまり、処理装置は、駆動装置が特定の期間中に同期信号の電圧に従って正常に動作するかどうか判断できる。
【００３３】
駆動信号がカラー信号を含む場合、ステップ４０３はカラー信号が正常に実行するかどうか判断するステップをさらに含む。つまり、処理装置は、駆動装置がカラー信号に従って正常に動作するかどうか判断できる。
【００３４】
前記方法はステップ４０７とステップ５０５を含むが、本発明は、駆動装置をリセットする、または光源を再起動する回数が所定の値より大きいかどうか判断することが必要なステップであると制限しない。加えて、本発明はステップ５０１の実行タイミングを制限しない。
【００３５】
本発明は、投射型ディスプレイの異常電源オンステータスから回復するための別の方法も提供する。投射型ディスプレイは駆動装置と、光源と、処理装置と起動装置とを備える。駆動装置は、画像を表示するために駆動信号を出力するように構成される。光源は画面上に画像を投射するように構成される。処理装置は駆動装置と他の装置の動作を制御するように構成される。起動装置は光源を起動するように構成される。方法は図６に示されている。ステップ６０１が実行されると、投射ディスプレイの電源がオンにされる。次にステップ６０３が実行される。処理装置は、光源の起動ステータスが正常であるかどうか判断する。正常ではない場合、光源を再起動することを要求するために、処理装置が駆動装置に第１の信号を発生するステップ６０５が実行される。次に、駆動装置が起動装置に第１の信号に応えて光源を再起動するように要求するステップ６０７が実行される。したがって、光源は再起動される。駆動装置が光源の再起動に起因する高圧から生じる干渉から駆動装置を予防するために、方法は、ステップ６０７が実行された後、駆動装置が第１の信号に応えて駆動信号を再出力できるように駆動装置をリセットするために、さらにステップ６０９を含む。
【００３６】
ステップ６０３では、処理装置が、光源の起動ステータスが正常であると判断する場合、処理装置が、駆動信号に従って駆動装置が正常に動作するかどうかを判断するステップ６１１が実行される。正常に動作しない場合、処理装置が第２の信号を生成するステップ６１３が実行される。次に、駆動装置が第２の信号に応えて駆動信号を再出力するためにリセットされるステップ６１５が実行される。
【００３７】
処理装置が、ステップ６１１で駆動装置が正常に動作すると判断する場合には、投射型ディスプレイが画像を表示するステップ６１７が実行される。さらに、ステップ６０９とステップ６１５が実行された後に、画像を表示するためにステップ６１７も実行される。
【００３８】
前述されたように、駆動信号がクロック信号または同期信号を含む場合、処理装置は、クロック信号または同期信号の電圧が、ステップ６１１が実行されるとき、特定の期間中に正常であるかどうか検出することによって駆動装置が正常に動作するかどうか判断できる。駆動信号がカラー信号を含む場合、処理装置は、ステップ６１１が実行されるときにカラー信号が正常であるかどうか検出することによって、駆動装置が正常に動作するかどうか判断できる。
【００３９】
当業者は、前記説明に基づいて、図６に示される方法が、光源が正常に起動されている場合に光源を再起動するための冗長な動作を回避するために該２つの信号、つまり第１の信号と第２の信号の一方を選択的に出力することを理解できる。これは投射型ディスプレイが異常な電源オンから迅速に回復するのに役立つ。
【００４０】
前記開示は詳細な技術的内容及びその発明の特徴に関する。当業者は、その特性から逸脱することなく、説明されるように本発明の開示及び示唆に基づいて種々の変型及び置換に進むことができる。それにも関わらず、このような変型及び置換は前記説明で完全に開示されていないが、それらは添付されるように以下の請求項で実質的にカバーされた。
【図面の簡単な説明】
【００４１】
【図１】従来の技術の投射型ディスプレイの概略図である。
【図２】本発明の実施形態の概略図である。
【図３】実施形態の処理装置の概略図である。
【図４】本発明に従う方法の流れ図である。
【図５】方法の追加の流れ図である。
【図６】本発明に従う別の方法の流れ図である。
【図１】
2006350284.tif 000003
【図２】
2006350284.tif 000004
【図３】
2006350284.tif 000005
【図４】
2006350284.tif 000006
【図５】
2006350284.tif 000007
【図６】
2006350284.tif 000008